(57)【要約】【課題】投薬治療開始後の期間や投薬による影響に応じた情報を配信することで、投薬治療を支援する技術を提供する。【解決手段】投薬治療を受けるユーザについて、投薬治療開始後の期間に応じた問い合わせまたは助言を含む情報を配信情報として設定し、前記配信情報をユーザの端末に配信し、問い合わせに対する回答を受信し、前記回答から前記投薬による前記ユーザへの影響を特定し、前記特定された影響に応じて、次の配信情報を設定し、前記影響に応じて設定した配信情報を前記ユーザの端末に配信する。【選択図】図６
2014127190.tif 000002
【特許請求の範囲】
【請求項１】
投薬治療を受けるユーザについて、投薬治療開始後の期間に応じた問い合わせまたは助言を含む情報を配信情報として設定する第一配信情報設定部と、
前記第一配信情報設定部によって設定された配信情報をユーザの端末に配信する第一配信制御部と、
前記問い合わせに対する回答を受信する回答受信部と、
前記回答から前記投薬による前記ユーザへの影響を特定する特定部と、
前記特定された影響に応じて、次の配信情報を設定する第二配信情報設定部と、
前記第二配信情報設定部によって設定された配信情報を前記ユーザの端末に配信する第二配信制御部と、
を備える投薬治療支援システム。
【請求項２】
前記第一配信情報設定部は、投薬治療開始からの期間が所定長さに達するまでを急性治療フェーズと判定し、急性治療フェーズと判定した場合に、当該急性治療フェーズと対応する配信情報を設定する請求項１に記載の投薬治療支援システム。
【請求項３】
前記特定部は、前記急性治療フェーズの後、前記回答から症状が出た旨の語が抽出される回数が所定未満となるまでを継続治療フェーズと特定し、
前記特定部により前記継続治療フェーズと特定された場合に、前記第二配信情報設定部が、前記継続治療フェーズと対応する配信情報を次の配信情報として設定する請求項１又は２に記載の投薬治療支援システム。
【請求項４】
前記第一配信情報設定部は、前記急性治療フェーズの後の期間が所定長さに達するまでを継続治療フェーズと判定し、前記継続治療フェーズと判定した場合に、当該継続治療フェーズと対応する配信情報を次の配信情報として設定する請求項１から３の何れか１項に記載の投薬治療支援システム。
【請求項５】
前記特定部は、前記継続治療フェーズの後、前記回答から減薬を示す語が所定回数以上抽出されるまでを維持治療フェーズと特定し、
前記特定部により前記維持治療フェーズと特定された場合に、前記第二配信情報設定部が、前記維持治療フェーズと対応する配信情報を次の配信情報として設定する請求項１から４の何れか１項に記載の投薬治療支援システム。
【請求項６】
前記第一配信情報設定部は、前記継続治療フェーズの後の期間が所定長さに達するまでを維持治療フェーズと判定し、維持治療フェーズと判定した場合に、当該維持治療フェーズと対応する配信情報を次の配信情報として設定する請求項１から５の何れか１項に記載の投薬治療支援システム。
【請求項７】
前記特定部は、前記維持治療フェーズの後、前記回答から投薬終了を示す語が所定回数以上抽出されるまでを投薬終了フェーズと特定し、
前記特定部により前記投薬終了フェーズと特定された場合に、前記第二配信情報設定部が、前記投薬終了フェーズと対応する配信情報を次の配信情報として設定する請求項１から６の何れか１項に記載の投薬治療支援システム。
【請求項８】
前記第一配信情報設定部は、前記維持治療フェーズの後の期間が所定長さに達するまでを投薬終了フェーズと判定し、投薬終了フェーズと判定した場合に、当該投薬終了フェーズと対応する配信情報を次の配信情報として設定する請求項１から７の何れか１項に記載の投薬治療支援システム。
【請求項９】
投薬治療を受けるユーザについて、投薬治療開始後の期間に応じた問い合わせまたは助言を含む情報を配信情報として設定するステップと、
前記配信情報をユーザの端末に配信するステップと、
前記問い合わせに対する回答を受信するステップと、
前記回答から前記投薬による前記ユーザへの影響を特定するステップと、
前記特定された影響に応じて、次の配信情報を設定するステップと、
前記影響に応じて設定された配信情報を前記ユーザの端末に配信するステップと、
をコンピュータが実行する投薬治療支援方法。
【請求項１０】
投薬治療を受けるユーザについて、投薬治療開始後の期間に応じた問い合わせまたは助言を含む情報を配信情報として設定するステップと、
前記配信情報をユーザの端末に配信するステップと、
前記問い合わせに対する回答を受信するステップと、
前記回答から前記投薬による前記ユーザへの影響を特定するステップと、
前記特定された影響に応じて、次の配信情報を設定するステップと、
前記影響に応じて設定された配信情報を前記ユーザの端末に配信するステップと、
をコンピュータが実行する投薬治療支援プログラム。
【発明の詳細な説明】
【技術分野】
【０００１】
本発明は、投薬治療の支援を行う技術に関する。
【背景技術】
【０００２】
従来、投薬治療は、医師の処方した薬を患者が治療方針に従って正しく服用することを前提に行われていた。
【０００３】
しかし、副作用が起きたり、症状が改善したりすると、患者が治療方針に従わず、独自の判断で服用を止めてしまうことがあった。特に、患者が治療方針に納得しておらず自分に合っていないと感じていると、治療方針に従わなくなる傾向が強い。
【０００４】
このため、医師と患者が相談し、患者が治療方針の決定に積極的に参加することで、患者が充分に納得した治療方針とし、治療方針に従って投薬治療が継続できるようにするアドヒアランスといった概念も提案されている。
【先行技術文献】
【特許文献】
【０００５】
【特許文献１】特開２０１０−１３４９４６号公報
【特許文献２】特表２００９−５４４３３８号公報
【特許文献３】特表２００９−５２１２４９号公報
【特許文献４】特開２００６−３０９７４０号公報
【特許文献５】特表２００５−５１２２３８号公報
【特許文献６】特表２００４−５１９０３１号公報
【特許文献７】特表２００４−５１４９８２号公報
【特許文献８】特表２００４−５０２２１５号公報
【発明の概要】
【発明が解決しようとする課題】
【０００６】
投薬治療のアドヒアランスを実践する場合、医師と患者が充分に話し合って治療方針を決定することが理想であるが、一般に医師は多忙であり、治療方針の決定に無制限に時間を費やすことはできない。従って、限られた診療時間内に患者が可能な限り自己の症状を医師に伝え、それらの症状から医師が最善の治療方針を決めることになる。
【０００７】
しかし、全ての患者が限られた時間で的確に自己の症状を医師に伝えられるとは限らない。例えば副作用の兆候があっても患者が自己の症状とは関係無いと考えて医師に伝えない場合や、患者が自己の症状だけでなく症状と関係の無い些細なことまで冗雑に医師に伝えて重要な情報が埋没してしまう場合などがある。
【０００８】
また、投薬治療において重視すべき情報は、投薬治療開始後の期間によって異なる。例えば、投薬治療の開始直後であれば、副作用の有無や薬の効果が過剰か否かなど、投薬が適切か否かの判断材料となる情報が有用である。また、投薬により寛解した後は、何かをきっかけに症状が現れることがあるか、負荷がかかっても症状が現れることが無いかなど、投薬を継続するか終息させるかの判断材料となる情報が有用である。この投薬治療開始後の期間と重視すべき情報は、症状や薬の種類によっても異なるので、患者側で何を重視して伝えれば良いかが分からなかった。
【０００９】
更に、診察日と次の診察日との間隔が長い場合、その間の情報は、医師に伝わらないこ
とがある。例えば、数カ月おきに診察を受ける患者の場合、普段薬が適切に効いて症状が治まっていることが多くても、診察時に症状が出て体調が悪いと、薬が効いていないと医師に伝えることがある。逆に普段薬が適切に効かず症状の出ることがあっても、診察時に症状が治まり体調が良いと、薬は不要と医師に伝えることがある。
【００１０】
そこで、投薬治療開始後の期間や投薬による影響に応じた情報を配信することで、投薬治療を支援する技術を提供する。
【課題を解決するための手段】
【００１１】
上記課題を解決するため、本発明は、以下の構成を採用した。
【００１２】
開示の技術の一側面は、次の投薬治療支援システムの構成によって例示される。すなわち、本投薬治療支援システムは、
投薬治療を受けるユーザについて、投薬治療開始後の期間に応じた問い合わせまたは助言を含む情報を配信情報として設定する第一配信情報設定部と、
前記第一配信情報設定部によって設定された配信情報をユーザの端末に配信する第一配信制御部と、
前記問い合わせに対する回答を受信する回答受信部と、
前記回答から前記投薬による前記ユーザへの影響を特定する特定部と、
前記特定された影響に応じて、次の配信情報を設定する第二配信情報設定部と、
前記第二配信情報設定部によって設定された配信情報を前記ユーザの端末に配信する第二配信制御部と、
を備える。
【００１３】
また、開示の技術の一側面は、次の投薬治療支援方法の構成によって例示される。すなわち、本投薬治療支援方法は、
投薬治療を受けるユーザについて、投薬治療開始後の期間に応じた問い合わせまたは助言を含む情報を配信情報として設定するステップと、
前記配信情報をユーザの端末に配信するステップと、
前記問い合わせに対する回答を受信するステップと、
前記回答から前記投薬による前記ユーザへの影響を特定するステップと、
前記特定された影響に応じて、次の配信情報を設定するステップと、
前記影響に応じて設定された配信情報を前記ユーザの端末に配信するステップと、
をコンピュータが実行する。
【００１４】
また、開示の技術の一側面は、上記投薬治療支援方法をコンピュータに実行させるための投薬治療支援プログラムによって例示される。更に、開示の技術の一側面は、この投薬治療支援プログラムをコンピュータが読み取り可能な記録媒体に記録したものによって例示される。コンピュータに、この記録媒体のプログラムを読み込ませて実行させることにより、その機能を提供させることができる。
【００１５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ（Compact Disc）、ＣＤ−Ｒ／Ｗ、ＤＶＤ（Digital Versatile Disk）、ブルーレイディスク（Blu-ray Disc）、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【発明の効果】
【００１６】
本投薬治療支援システムによれば、投薬治療開始後の期間や投薬による影響に応じた情報を配信することで、投薬治療を支援する技術を提供できる。
【図面の簡単な説明】
【００１７】
【図１】図１は、実施形態１に係る投薬治療支援システムの説明図である。
【図２】図２は、投薬効果の時間的変化による投薬治療のフェーズの一例を示す図である。
【図３】図３は、投薬治療支援システムの構成図である。
【図４】図４は、投薬治療支援システムに登録するユーザ情報の一例を示す図である。
【図５】図５は、投薬治療の各フェーズと対応付けた配信情報の一例を示す図である。
【図６】図６は、実施形態１に係る投薬治療支援方法の説明図である。
【図７】図７は、急性治療フェーズと対応するメッセージを抽出する処理の詳細を示す図である。
【図８】図８は、継続治療フェーズと対応するメッセージを抽出する処理の詳細を示す図である。
【図９】図９は、維持治療フェーズと対応するメッセージを抽出する処理の詳細を示す図である。
【図１０】図１０は、投薬終了フェーズと対応するメッセージを抽出する処理の詳細を示す図である。
【図１１】図１１は、配信情報のテンプレートの一例を示す図である。
【図１２】図１２は、サポート情報等を入力した状態の配信情報の一例を示す図である。
【図１３】図１３は、回答受信時の投薬治療支援システムによる処理を示す図である。
【図１４】図１４は、投薬治療支援システムから医師端末へ情報を配信する処理の説明図である。
【図１５】図１５は、投薬治療支援システムからＭＲ端末へ情報を配信する処理の説明図である。
【図１６】図１６は、実施形態２に係る投薬治療支援システムの概略構成図である。
【図１７】図１７は、実施形態２の投薬治療支援方法を示す図である。
【発明を実施するための形態】
【００１８】
以下、図面を参照して、一実施形態に係る投薬治療支援システムについて説明する。以下の実施形態の構成は例示であり、本投薬治療支援システムは実施形態の構成には限定されない。
〈実施形態１〉
以下、図１から図１５の図面に基づいて、本実施形態１に係る投薬治療支援システムを説明する。図１は、本実施形態１に係る投薬治療支援システムの説明図、図２は、投薬治療のフェーズを示す図、図３は投薬治療支援システムの構成図である。
【００１９】
本実施形態１の投薬治療支援システム１は、ネットワークを介してユーザ端末２や医師端末３と接続し、患者であるユーザへ投薬に関する情報を配信することや、投薬に係る患者側の情報を医師に配信することで投薬治療を支援するシステムである。特に本投薬治療支援システム１は、投薬治療開始後の期間や投薬による影響に応じて投薬治療のフェーズを判定し、各フェーズに応じた適切な情報を配信する。また、投薬治療支援システム１は、患者端末２から受信した情報を統計処理し、ネットワークを介してＭＲ端末４へ送信する。
【００２０】
図２では、横軸に時間、縦軸に投薬の効果をとり、投薬効果の時間的変化による投薬治療のフェーズの一例を示す。
【００２１】
投薬の開始後所定期間が急性治療フェーズであり、投薬の効果が徐々に表れるが、薬の効き具合は、患者の体質等に左右されることがあるので、薬の効き具合に応じた投薬量の変更を検討する時期である。また、急性治療フェーズは、副作用の出やすい時期でもある。このため本投薬治療支援システム１は、急性治療フェーズにおいて、治療全般や治療を行う疾病についての情報と共に、副作用の有無や薬の効き具合についての設問を配信情報としてユーザ端末２へ配信する。
【００２２】
急性治療フェーズ後、治療を要する症状がほぼ消失するまでが、継続治療フェーズである。継続治療フェーズでは、治療開始から少し時間がたち、ユーザが投薬の効果を実感出来ないと、服薬を中断してしまうことがある。このため本投薬治療支援システム１は、継続治療フェーズにおいて、服薬を中断した場合のリスクについての情報と共に、投薬の効果を確認する設問を配信情報としてユーザ端末２へ配信する。
【００２３】
継続治療フェーズ後、寛解して投薬量を減らし始める前までが維持治療フェーズである。維持治療フェーズでは、投薬により症状がほぼ消失した状態となるが、投薬を中断すると、再発する可能性があるため、真に投薬が不要になるまで投薬治療を続け、症状が消失した状態を維持する必要がある。このため本投薬治療支援システム１は、維持治療フェーズにおいて、投薬治療のモチベーションを維持するための情報と共に、投薬終了の可能性を確認する設問、即ち投薬終了フェーズへの移行を確認する設問を配信情報としてユーザ端末２へ配信する。
【００２４】
維持治療フェーズ後、徐々に投薬量を減らし、再発させることなく投薬を終了するまでが投薬終了フェーズである。投薬終了フェーズでは、減薬によって再発の可能性があるため、治療計画に沿って投薬量を減らしていく必要がある。このため本投薬治療支援システム１は、投薬終了フェーズにおいて、治療計画に沿わない投薬中断のリスクを示す情報と共に、減薬による体調の変化を確認する設問を配信情報としてユーザ端末２へ配信する。
【００２５】
なお、図２の投薬治療のフェーズは一例であり、上記と異なるタイミングで投薬治療のフェーズを区切っても良い。例えば高血圧の治療のように、投薬を終了することが無い場合、投薬終了フェーズは設けなくても良い。
【００２６】
また、本投薬治療支援システム１は、例えばうつ病や、高血圧、糖尿病、気管支喘息、アトピー性皮膚炎、肥厚性瘢痕等の傷病の治療といった比較的長期の投薬治療の支援に適しているが、これに限らず、どの様な投薬治療の支援に用いても良い。本実施形態において、投薬は、内服に限らず、注射や外用であっても良い。
《装置構成》
図３に示すように、投薬治療支援システム１は、ＣＰＵ（central processing unit）
やメインメモリ等よりなる演算処理部１１、演算処理の為のデータやソフトウェアを記憶した記憶部１２、入出力ポート１３、通信部（ＣＣＵ：Communication Control Unit）１４等を備えたコンピュータである。
【００２７】
該入出力ポート１３には、キーボードや記憶媒体（メモリカード等）の読み取り装置、タッチパネル（入力操作部）、位置取得部等の入力デバイス、そしてディスプレイや記憶媒体の書き込み装置、スピーカ等の出力デバイスが適宜接続される。
【００２８】
ＣＣＵ１４は、無線回線を介して他のコンピュータとの通信を行うものである。記憶部
１２には、オペレーティングシステム（ＯＳ）やアプリケーションソフトウェア（投薬治療支援等）がインストールされている。また、記憶部１２は、設問データや回答データ、ユーザへ提供する情報、ユーザの登録情報など、投薬治療支援方法を実行するための各種情報を記憶する。
【００２９】
演算処理部１１は、前記ＯＳやアプリを記憶部１２から適宜読み出して実行し、入出力ポート１３やＣＣＵ１４から入力された情報、及び記憶部１２から読み出した情報を演算処理することにより、第一配信情報設定部２１や、第一配信制御部２２、回答受信部２３、特定部２４、第二配信情報設定部２５、第二配信制御部２８としても機能する。
【００３０】
第一配信情報設定部２１は、投薬治療を受けるユーザについて、投薬治療開始後の期間に応じた問い合わせまたは助言を含む配信情報を設定する。例えば、第一配信情報設定部２１は、投薬治療開始後の期間が、所定長さ未満か否かによって、急性治療フェーズか否かを判定し、投薬治療開始後の期間が所定長さ未満であれば、急性治療フェーズと対応する設問や助言等のメッセージを記憶部１２から読み出し配信情報として設定する。
【００３１】
第一配信制御部２２は、第一配信情報設定部２１によって設定された配信情報をユーザ端末２に配信する。
回答受信部２３は、問い合わせに対する回答をユーザ端末２から受信し、記憶部１２に登録する。
【００３２】
特定部２４は、回答から投薬によるユーザへの影響を特定する。例えば、特定部２４は、ユーザの回答から寛解を示す語が所定回数以上抽出されたか否かによって維持治療フェーズか否かを特定し、回答から投薬終了を示す語が抽出されたか否かによって投薬終了フェーズか否かを特定する。
【００３３】
第二配信情報設定部２５は、特定された影響に応じて、次の配信情報を設定する。例えば、第二配信情報設定部２５は、維持治療フェーズと特定された場合に、記憶部１２から維持治療フェーズと対応するメッセージを読み出して配信情報として設定し、投薬終了フェーズと特定された場合に、記憶部１２から投薬終了フェーズと対応するメッセージを読み出して配信情報として設定する。
【００３４】
第二配信制御部２８は、第二配信情報設定部２５によって設定された配信情報をユーザ端末２に配信する。
【００３５】
また、ユーザ端末２、医師端末３及びＭＲ端末４は、ＣＰＵ（central processing unit）やメインメモリ等よりなる演算処理部、演算処理の為のデータやソフトウェアを記憶
した記憶部、入出力ポート、通信部（ＣＣＵ：Communication Control Unit）等を備えたコンピュータである。ユーザ端末２、医師端末３及びＭＲ端末４は、電子メールの送受信又はウェブページの閲覧といった機能を有し、ネットワークを介して投薬治療支援システム１と通信可能な構成であれば良い。例えばユーザ端末２は、パーソナルコンピュータに限らず、携帯電話や、スマートフォン、タブレット型コンピュータ、テレビ、半導体オーディオ、携帯ゲーム機等でも良い。
《データ構成》
図４は、投薬治療支援システム１に登録するユーザ情報の一例を示す図である。図４に示すように、投薬治療支援システム１の記憶部１２には、ユーザ情報として、医師ＩＤ、病院ＩＤ、ユーザ名、傷病名、薬剤名、治療開始日、次回診療日、配信履歴等の情報をユーザＩＤと対応付けて記憶している。
【００３６】
ユーザＩＤは、ユーザ（患者）を一意に特定するための識別情報である。ユーザＩＤは
、例えば、ユーザの登録時に投薬治療支援システム１によって割り当てられる。
【００３７】
医師ＩＤは、当該ユーザの投薬治療を行う医師を特定する識別情報であり、病院ＩＤは、当該ユーザが投薬治療を受ける病院を特定する識別情報である。
【００３８】
傷病名は、投薬治療を行う傷病の識別情報であり、薬剤名は、投薬する薬剤の識別情報である。なお、同じ薬剤による治療を行うユーザのユーザ情報をまとめて一つのデータベースとして記憶する場合には薬剤名を省略できる。また、同じ傷病の治療を行うユーザのユーザ情報をまとめて一つのデータベースとして記憶する場合には傷病名を省略できる。
【００３９】
治療開始日は、投薬治療を開始した日、配信履歴は、当該ユーザのユーザ端末２へ配信済みのメッセージ（配信情報）の識別情報と配信日を示す情報である。
【００４０】
図５は、投薬治療の各フェーズと対応付けたメッセージ（配信情報）の一例を示す図である。図５に示すように、投薬治療支援システム１の記憶部１２には、メッセージが、投薬治療のフェーズや、メッセージＩＤ、配信テーマと対応付けて記憶されている。
【００４１】
メッセージＩＤは、メッセージを一意に識別する情報である。投薬治療のフェーズは、急性治療フェーズ、継続治療フェーズ、維持治療フェーズなど当該配信情報を配信するフェーズを示す情報である。
【００４２】
配信テーマは、治療全般や再発防止、注意点、副作用に係る設問、薬効に係る設問など、配信情報の種別を示す情報である。
【００４３】
また、投薬治療支援システム１は、後述のように配信した設問に対する回答をユーザ端末２から受信すると、設問のメッセージＩＤとその回答をユーザＩＤと対応付け、回答履歴として記憶部１２に記憶する。
《投薬治療支援方法》
図６〜図１５を用い、本実施形態１の投薬治療支援システム１が投薬治療支援プログラムに基づいて実行する投薬治療支援方法を説明する。
【００４４】
まず、医師或いは医薬情報担当者（ＭＲ：medical representative）が、医師端末３のアドレスを投薬治療支援システム１に登録し、投薬治療支援システム１は当該アドレスに対する医師ＩＤを発行し、当該アドレスと医師ＩＤを対応付けて記憶部１２に記憶する。ここで医師ＩＤと対応付ける医師の情報として、医師の氏名や勤務する病院、経歴等を登録するようにしても良い。
【００４５】
医師は、投薬治療を開始する際、患者（ユーザ）に本投薬治療支援システム１への登録を促す。例えば、次のように医師ＩＤをパラメータとして含むＵＲＬを患者に渡す。
http://www.ooooo.jp/entry?id=〈医師ＩＤ〉
なお、このＵＲＬは、２次元バーコードで提供されても良く、ユーザ端末２がカメラで２次元バーコードを撮影し、デコードして得たＵＲＬにアクセスしても良い。
【００４６】
ユーザ端末２が当該ＵＲＬにアクセスすると、投薬治療支援システム１は、ユーザ端末２にユーザ登録用のウェブページを提供する。
【００４７】
患者がユーザ端末２を操作して当該ユーザ登録用のウェブページにユーザ情報を入力して投薬治療支援システム１に送信すると、投薬治療支援システム１は受信したユーザ情報を図４に示すように記憶部１２に記憶する。ここで投薬治療支援システム１がＵＲＬのパラメータとして取得した医師ＩＤをユーザ情報に加えることで、ユーザ側で医師ＩＤの入
力を省略できる。また、患者へ提供するＵＲＬのパラメータとして、医師ＩＤだけでなく、病院ＩＤや傷病名、治療開始日など他のユーザ情報を含めておくことで、更にユーザ側の入力を省略した構成としても良い。
【００４８】
上述のように登録した各ユーザのユーザ端末２に対して情報を配信するため、投薬治療支援システム１は、図６に示す配信処理を定期的に実行する。
【００４９】
先ず、投薬治療支援システム１は、当該ユーザが急性治療フェーズか否かを判定する(
ステップＳ１０)。ここで急性治療フェーズか否かの判定条件は、例えば、投薬治療の開
始日からの期間が所定長さ未満か否かである。所定長さ未満であれば急性治療フェーズと判定し(ステップＳ１０，Ｙｅｓ)、所定長さ未満でなければ急性治療フェーズでは無いと判定する(ステップＳ１０，Ｎｏ)。
【００５０】
急性治療フェーズと判定した場合(ステップＳ１０，Ｙｅｓ)、投薬治療支援システム１は、前回の配信からの経過日数が所定の配信間隔に達したか否かを判定する(ステップＳ
２０)。なお、急性治療フェーズにおける配信間隔は、他のフェーズと比べて短く、例え
ば１〜２日間隔とするのが良い。
【００５１】
投薬治療支援システム１は、経過日数が配信間隔に達していない場合(ステップＳ２０
，Ｎｏ)、図６の配信処理を終了し、経過日数が配信間隔に達した場合(ステップＳ２０，Ｙｅｓ)、急性治療フェーズと対応する配信情報を記憶部１２から抽出する(ステップＳ３０)。なお、詳しい抽出手順は後述する。
【００５２】
次に、投薬治療支援システム１は、抽出した情報を配信情報として設定する(ステップ
Ｓ４０)。例えば、投薬治療支援システム１は、所定形式のテンプレートに抽出したメッ
セージを挿入して配信情報とする。
【００５３】
そして、投薬治療支援システム１は、ユーザ情報を参照し、当該ユーザのアドレス宛に設定した配信情報を電子メールで送信する（ステップＳ５０）。なお、配信情報は、電子メールで配信するのが望ましいが、ユーザがユーザ端末２を用いて配信情報の閲覧用のＵＲＬにアクセスし、投薬治療支援システム１が配信情報をウェブページとして提供する構成としても良い。
【００５４】
また、投薬治療支援システム１は、ステップＳ１０にて、当該ユーザが投薬治療を開始してからの経過日数が所定期間を超えていた場合、急性治療フェーズでは無い、即ち急性治療フェーズは終了したと判定して(ステップＳ１０，Ｎｏ)、ステップＳ６０へ移行し、継続治療フェーズか否かを判定する。ここで継続治療フェーズか否かの判定条件は、例えば「思考力の低下がありますか」「意欲の低下がありますか」などのような症状に関する設問に対する回答から、症状がある旨の回答が所定回数以上抽出されたか否かである。投薬治療支援システム１の特定部２４は、当該ユーザの回答履歴を参照し、症状がある旨の回答が所定回数以上の場合、即ち治療を要する症状が表れている場合に継続治療フェーズと判定する。換言すれば、特定部２４は、急性治療フェーズ後、症状が出た旨の語が抽出された回数が所定未満となり、症状がほぼ消失するまでを継続治療フェーズと判定する。また、継続治療フェーズか否かの判定条件は、急性治療フェーズ後、所定期間内であれば第一配信情報設定部２１が継続治療フェーズと判定し、所定期間経過後に症状がある旨の回答が所定回数以上か否かを特定部２４が判定するように、期間に応じて切り換えても良い。更に、継続治療フェーズか否かの判定条件は、第一配信情報設定部２１が、急性治療フェーズ後、所定期間内か否かのみで判定しても良い。例えば急性治療フェーズ後、所定期間内であれば継続治療フェーズと判定し、所定期間経過後であれば継続治療フェーズでは無いと判定する。
【００５５】
継続治療フェーズと判定した場合(ステップＳ６０，Ｙｅｓ)、投薬治療支援システム１は、前回の配信からの経過日数が所定の配信間隔に達したか否かを判定する(ステップＳ
７０)。なお、継続治療フェーズにおける配信間隔は、例えば１週間に１回である。
【００５６】
投薬治療支援システム１は、経過日数が配信間隔に達していない場合(ステップＳ７０
，Ｎｏ)、図６の配信処理を終了し、経過日数が配信間隔に達した場合(ステップＳ７０，Ｙｅｓ)、継続治療フェーズと対応する配信情報を記憶部１２から抽出する(ステップＳ８０)。例えば、投薬治療支援システム１は、記憶部１２から継続治療フェーズと対応付け
られた症状に関する設問やサポート情報を抽出する。
【００５７】
そして、投薬治療支援システム１は、抽出した情報をステップＳ４０と同様に配信情報として設定し(ステップＳ９０)、電子メールでユーザ端末２へ送信する(ステップＳ５０)。
【００５８】
また、ステップＳ６０にて、継続治療フェーズでは無いと判定した場合(ステップＳ６
０，Ｎｏ)、即ち、症状がある旨の回答が所定未満で、治療を要する症状がほぼ消失した
場合、ステップＳ１００へ移行し、維持治療フェーズか否かを判定する。ここで維持治療フェーズか否かの判定条件は、例えば「検査結果は良好でしたか」「投薬終了に向けて薬を減らす旨の説明がありましたか」などのように、投薬を減らす旨の設問に対して肯定する回答が所定数未満か否かである。即ち、特定部２４は、継続治療フェーズ後、前記設問に対する回答から減薬を示す語が所定回数以上抽出されるまでを維持治療フェーズと特定する。また、維持治療フェーズか否かの判定条件は、継続治療フェーズ後、所定期間内であれば第一配信情報設定部２１が維持治療フェーズと判定し、所定期間経過後減薬を示す語が所定回数以上抽出されたか否かを特定部２４が判定するように、期間に応じて切り換えても良い。更に、維持治療フェーズか否かの判定条件は、第一配信情報設定部２１が、継続治療フェーズ後、所定期間内か否かのみで判定しても良い。例えば継続治療フェーズ後、所定期間内であれば維持治療フェーズと判定し、所定期間経過後であれば維持治療フェーズでは無いと判定する。
【００５９】
維持治療フェーズと判定した場合(ステップＳ１００，Ｙｅｓ)、投薬治療支援システム１は、前回の配信からの経過日数が所定の配信間隔に達したか否かを判定する(ステップ
Ｓ１１０)。なお、維持治療フェーズにおける配信間隔は、例えば１カ月に１回である。
【００６０】
投薬治療支援システム１は、経過日数が配信間隔に達していない場合(ステップＳ１１
０，Ｎｏ)、図６の配信処理を終了し、経過日数が配信間隔に達した場合(ステップＳ１１０，Ｙｅｓ)、維持治療フェーズと対応する配信情報を記憶部１２から抽出する(ステップＳ１２０)。なお、詳しい抽出手順は後述する。
【００６１】
そして、投薬治療支援システム１は、抽出した情報をステップＳ４０と同様に配信情報として設定し(ステップＳ１３０)、電子メールでユーザ端末２へ送信する(ステップＳ５
０)。
【００６２】
また、ステップＳ１００にて、維持治療フェーズでは無いと判定した場合(ステップＳ
１００，Ｎｏ)、投薬治療支援システム１は、ステップＳ１３５へ移行し、投薬終了フェ
ーズか否かを判定する（ステップＳ１３５）。ここで投薬終了フェーズか否かの判定条件は、例えば「検査結果は良好でしたか」「投薬終了の説明がありましたか」「薬の処方が無くなりましたか」などのように、投薬を止める旨の設問に対して肯定する回答が所定数未満か否かである。即ち、特定部２４は、維持治療フェーズ後、前記設問に対する回答から投薬終了を示す語が所定回数以上抽出されるまでを投薬終了フェーズと特定する。また
、投薬終了フェーズか否かの判定条件は、維持治療フェーズ後、所定期間内であれば第一配信情報設定部２１が投薬終了フェーズと判定し、所定期間経過後に投薬を止める旨の回答があったか否かを特定部２４が判定するように、期間に応じて切り換えても良い。更に、投薬終了フェーズか否かの判定条件は、第一配信情報設定部２１が、維持治療フェーズ後、所定期間内か否かのみで判定しても良い。例えば維持治療フェーズ後、所定期間内であれば投薬終了フェーズと判定し、所定期間経過後であれば投薬終了フェーズでは無いと判定する。
投薬終了フェーズと判定した場合(ステップＳ１３５，Ｙｅｓ)、投薬治療支援システム１は、前回の配信からの経過日数が所定の配信間隔に達したか否かを判定する(ステップ
Ｓ１４０)。なお、投薬終了フェーズにおける配信間隔は、例えば１カ月に４回である。
【００６３】
投薬治療支援システム１は、経過日数が配信間隔に達していない場合(ステップＳ１４
０，Ｎｏ)、図６の配信処理を終了し、経過日数が配信間隔に達した場合(ステップＳ１４０，Ｙｅｓ)、投薬終了フェーズと対応する配信情報を記憶部１２から抽出する(ステップＳ１５０)。例えば、投薬治療支援システム１は、記憶部１２から投薬終了フェーズと対
応付けられた減薬後の体調変化についての設問やサポート情報を抽出する。
【００６４】
そして、投薬治療支援システム１は、抽出した情報をステップＳ４０と同様に配信情報として設定し(ステップＳ１６０)、電子メールでユーザ端末２へ送信する(ステップＳ５
０)。
【００６５】
図７は、図６のステップＳ３０において急性治療フェーズと対応するメッセージを抽出する処理の詳細を示す図である。図６のステップＳ２０で配信間隔に達したと判定した場合、投薬治療支援システム１は、図７に示すように副作用が確認済か否かを判定する(ス
テップＳ２１０)。ここで副作用が確認済か否かの判定条件は、例えば副作用に係る設問
の回答に重篤な副作用が無く且つ重篤でない副作用が所定数未満か否かである。
【００６６】
副作用が確認済で無ければ(ステップＳ２１０，Ｎｏ)、投薬治療支援システム１は、記憶部１２から副作用に係る設問を抽出する(ステップＳ２２０)。また、副作用が確認済であれば(ステップＳ２１０，Ｙｅｓ)、投薬治療支援システム１は、ステップＳ２２０をスキップしてステップＳ２３０へ移行する。
【００６７】
ステップＳ２３０において投薬治療支援システム１は、投薬治療開始から所定日数経過したか否かを判定する。薬によっては投薬の効果が表れるまでに、時間がかかるものがあるため、ステップＳ２３０では、投薬の効果が表れる時期に達したか否かを判定する。投薬の効果が表れる時期に達した場合(ステップＳ２３０，Ｙｅｓ)、投薬治療支援システム１は、記憶部１２から投薬の効果に係る設問を抽出する(ステップＳ２２０)。また、投薬の効果が表れる時期に達していない場合(ステップＳ２１０，Ｎｏ)、投薬治療支援システム１は、ステップＳ２５０をスキップしてステップＳ２６０へ移行する。
【００６８】
ステップＳ２６０において投薬治療支援システム１は、記憶部１２から急性治療フェーズと対応するサポート情報を抽出する。サポート情報の抽出は、例えば急性治療フェーズと対応付けて記憶部１２に記憶された情報のうち未送信のものを所定数ランダムに抽出しても良いし、テーマ毎に所定数抽出しても良い。また、予め各サポート情報に優先度を付しておき、この優先度に応じて所定数抽出しても良い。
【００６９】
図８は、図６のステップＳ８０において継続治療フェーズと対応するメッセージを抽出する処理の詳細を示す図である。図６のステップＳ７０で配信間隔に達したと判定した場合、投薬治療支援システム１は、図８に示すように急性治療フェーズ終了後の期間、即ち最初に継続治療フェーズと判定した時からの経過期間（経過日数）が所定長さ（所定日数
）に達したか否かを判定する(ステップＳ２７０)。ここで判定条件とする期間の長さは、例えば投薬の効果により症状がほぼ消失する日数を統計的に求め、この日数に近い値を予め設定しておく。
【００７０】
経過期間が所定日数に達した場合(ステップＳ２７０，Ｙｅｓ)、投薬治療支援システム１は、継続治療フェーズと対応付けられた設問を抽出すると共に(ステップＳ２８０)、継続治療フェーズと対応付けられたサポート情報を抽出する(ステップＳ２９０)。なお、ステップＳ２７０にて、経過期間が所定日数に達していないと判定した場合(ステップＳ２
７０，Ｎｏ)、投薬治療支援システム１は、ステップＳ２８０をスキップしてステップＳ
２９０へ移行し、サポート情報を抽出する。即ち、継続治療フェーズとなった直後は、主に継続治療に関するサポート情報を配信し、症状の消失が期待できる時期に達した場合には、症状に関する設問を抽出して配信し、症状がある旨の回答が所定未満となったこと、即ち症状がほぼ消失したことを確認する。
【００７１】
図９は、図６のステップＳ１２０において維持治療フェーズと対応するメッセージを抽出する処理の詳細を示す図である。図６のステップＳ１１０で配信間隔に達したと判定した場合、投薬治療支援システム１は、図９に示すように維持治療フェーズと判定してからの経過日数が所定期間に達したか否かを判定する(ステップＳ３１０)。ここで判定条件とする所定期間は、例えば症状がほぼ消失し、臨床的にコントロールされた状態が、治療対象の傷病に応じて定められる期間継続すると寛解したと見なされる場合に、この寛解までの期間である。
【００７２】
経過日数が所定期間に達した場合(ステップＳ３１０，Ｙｅｓ)、投薬治療支援システム１は、維持治療フェーズと対応付けられた設問を抽出すると共に(ステップＳ３２０)、維持治療フェーズと対応付けられたサポート情報を抽出する(ステップＳ３３０)。なお、ステップＳ３１０にて、経過日数が所定期間に達していないと判定した場合(ステップＳ３
１０，Ｎｏ)、投薬治療支援システム１は、ステップＳ３２０をスキップしてステップＳ
３３０へ移行し、サポート情報を抽出する。即ち、維持治療フェーズにおいて、寛解までは投薬治療を継続するモチベーションを維持するためのサポート情報を配信し、寛解に達した場合は投薬終了フェーズへの移行の判定材料となる減薬に関する設問とサポート情報を配信する。
【００７３】
図１０は、図６のステップＳ１５０において投薬終了フェーズと対応するメッセージを抽出する処理の詳細を示す図である。図６のステップＳ１４０で配信間隔に達したと判定した場合、投薬治療支援システム１は、図１０に示すように維持治療フェーズ終了後の期間、即ち最初に投薬終了フェーズと判定した時からの経過期間（経過日数）が所定長さ（所定日数）に達したか否かを判定する(ステップＳ３５０)。ここで判定条件とする期間の長さは、例えば投薬終了フェーズとなって減薬を開始してから、投薬量を無理なく減らして行き、投薬が完全に不要になるまでの日数を統計的に求め、この日数に近い値を予め設定しておく。
【００７４】
経過期間が所定日数に達した場合(ステップＳ３５０，Ｙｅｓ)、投薬治療支援システム１は、投薬終了フェーズと対応付けられた設問を抽出すると共に(ステップＳ３６０)、投薬終了フェーズと対応付けられたサポート情報を抽出する(ステップＳ３７０)。なお、ステップＳ３５０にて、経過期間が所定日数に達していないと判定した場合(ステップＳ３
５０，Ｎｏ)、投薬治療支援システム１は、ステップＳ３６０をスキップしてステップＳ
３７０へ移行し、サポート情報を抽出する。即ち、投薬終了フェーズとなった直後は、主に投薬終了に関するサポート情報を配信し、投薬の終了が期待できる時期に達した場合には、投薬量に関する設問や投薬終了に関する質問を抽出して配信し、投薬を終了する旨の回答が所定回数以上となったこと、即ち治療が完了して投薬が不要になったことを確認す
る。図7〜図１０に示すように、本システム１は、同一フェーズ中に同じ設問を繰り返す
のではなく、時期に応じた適切な設問を配信できるようにしている。
【００７５】
図１１は、配信情報のテンプレートの一例を示す図である。図１１に示すように、テンプレートは、ユーザＩＤの入力欄４１、ユーザ氏名の入力欄４２、設問の入力欄４３、サポート情報の入力欄４４を有している。投薬治療支援システム１は、図６の処理対象として選出されたユーザの、ユーザＩＤとユーザ氏名を入力欄４１，４２に入力し、ステップＳ３０，Ｓ８０，Ｓ１２０，Ｓ１５０で抽出した設問やサポート情報を入力欄４３，４４に夫々入力する。
【００７６】
図１２は、ステップＳ４０，Ｓ９０，Ｓ１３０，Ｓ１６０で図１１のテンプレートに設問やサポート情報等を入力した状態の配信情報の一例を示す図である。図１２に示すように投薬治療支援システム１は、ユーザの治療フェーズに応じた適切な配信情報を電子メールやウェブページとして配信する。設問の表示欄には、各設問４３Ａと共に回答の入力欄４３Ｂも表示される。なお、設問が無い場合には、設問の表示欄４３を設けなくても良い。配信情報を電子メールで送信する場合、メール本文はプレーンテキストであっても良いし、ＨＴＭＬなどのマークアップ言語で記述されたものであっても良い。なお、図１２は、ＨＴＭＬで記述された例を示す。プレーンテキストで送信する場合には、罫線や括弧等によって回答欄等を表示すれば良い。
【００７７】
配信情報がプレーンテキストで配信された場合、ユーザがユーザ端末２で受信した電子メール本文を引用し、回答欄に回答を入力して返信する。配信情報がマークアップ言語で記述されている場合、ユーザが回答欄４３Ｂに回答を入力して送信を選択すると、ユーザ端末２がＪＡＶＡ（登録商標）等のスクリプトを起動して設問或は設問の識別情報と当該設問の回答とを対応つけて投薬治療支援システム１へ送信する。
【００７８】
図１３は、回答受信時の投薬治療支援システム１による処理を示す図である。投薬治療支援システム１は、ユーザ端末２から電子メールを受信した場合に図１３の処理を開始し、当該メールのアドレスやメール中のユーザＩＤからユーザを特定する（ステップＳ４１０）。そして、投薬治療支援システム１は、メール本文から設問や回答を抽出し、回答日、例えばメールの送信日／受信日と対応付け、回答履歴として記憶部１２に記憶する。
【００７９】
図１４は、投薬治療支援システム１から医師端末３へ情報を配信する処理の説明図である。投薬治療支援システム１は、医師ＩＤ毎に対応付けて登録されているユーザのユーザ情報を順次参照し、当該ユーザについて図１４の処理を実行する。まず、投薬治療支援システム１は、配信タイミングか否かを判定する（ステップＳ５００）。ここで配信タイミングは、１日１回、１週間に１回など、所定の周期であっても良いし、次回診察日の直前など特定の日時であっても良い。また、配信情報をウェブページで配信する場合、投薬治療支援システム１は、医師端末３から閲覧要求があった場合に配信タイミングであると判定しても良い。
【００８０】
投薬治療支援システム１は、配信タイミングでないと判定した場合には（ステップＳ５００，Ｎｏ）、図１４の処理を終了し、配信タイミングであると判定した場合には（ステップＳ５００，Ｙｅｓ）、記憶部１２或は演算処理部１１のメモリから図６のステップＳ１０，Ｓ６０，Ｓ１００の判定結果、即ち当該ユーザの投薬治療のフェーズを読み出す（ステップＳ５１０）。
【００８１】
そして、投薬治療支援システム１は、当該ユーザの配信履歴や回答履歴を記憶部１２から読み出し（ステップＳ５２０）、医師ＩＤと対応する医師端末３のアドレス宛に送信する（ステップＳ５３０）。これにより医師は、患者の普段の状態を知ることができ、次の
診療に役立てることができる。
【００８２】
図１５は、投薬治療支援システム１からＭＲ端末４へ情報を配信する処理の説明図である。まず、投薬治療支援システム１は、配信タイミングか否かを判定する（ステップＳ５００）。ここで配信タイミングは、１週間に１回、１ヶ月に１回など、所定の周期であっても良いし、特定の日時であっても良い。また、配信情報をウェブページで配信する場合、投薬治療支援システム１は、ＭＲ端末４から閲覧要求があった場合に配信タイミングであると判定しても良い。
【００８３】
投薬治療支援システム１は、配信タイミングでないと判定した場合には（ステップＳ６１０，Ｎｏ）、図１５の処理を終了し、配信タイミングであると判定した場合には（ステップＳ６１０，Ｙｅｓ）、記憶部１２から各ユーザの回答履歴を読み出し、各回答の合計、全体に対する割合、標準偏差などの統計情報を求める（ステップＳ６２０）。
【００８４】
そして、投薬治療支援システム１は、統計情報をＭＲ端末４のアドレス宛に送信する（ステップＳ６３０）。これによりＭＲは、例えば薬剤毎の寛解までの期間や、減薬を開始してから投薬を止めるまでの期間の統計的な情報を得ることができ、治療の参考のために医師へ提供すること等ができる。
【００８５】
以上のように本実施形態１の投薬治療支援システム１は、投薬治療開始後の期間や投薬による影響に応じた適切な情報を配信することで、投薬治療を支援することができる。
【００８６】
特に本実施形態１の投薬治療支援システム１は、投薬治療のフェーズに応じた設問を配信することにより、従来診察時に行っていた医師の質問を予めユーザに送り、回答を得ておくことで、効率良く診察を行えるように支援できる。
【００８７】
また、本実施形態１の投薬治療支援システム１は、投薬治療の進捗に応じた適切なタイミングでサポート情報を配信することで、治療に対する理解を深め、ユーザの自己判断による服薬の中断等を防ぐことができる。
【００８８】
更に、本実施形態１の投薬治療支援システム１は、診察から次の診察までの期間が長い場合であっても、適切な配信間隔でユーザに設問を送って回答を得ることで、ユーザが日ごろ思っているとおりの回答を得ることができる。
〈実施形態２〉
図１６は、実施形態２に係る投薬治療支援システム１Ａの概略構成図である。図１６に示すように、本実施形態２に係る投薬治療支援システム１Ａは、図３に示す実施形態１の投薬治療支援システム１と比べて追加条件受付部２６及び追加情報受付部２７を備えた構成が異なり、その他の構成は同じである。このため同一の要素には同符号を付す等して再度の説明を省略する。
【００８９】
追加条件受付部２６は、ネットワークを介して医師端末３から追加条件を受信し、記憶部１２に記憶させる。追加情報受付部２７は、ネットワークを介して医師端末３から追加情報を受信し、記憶部１２に記憶させる。
【００９０】
本実施形態２では、医師が任意の追加条件及び追加情報を指定し、この追加条件及び追加情報を医師端末３から投薬治療支援システム１Ａへ送信し、投薬治療支援システム１Ａに登録する。この追加条件に適合した場合に投薬治療支援システム１Ａは、前述の配信情報に追加情報を加えて配信する。
【００９１】
図１７は、本実施形態２の投薬治療支援システム１Ａが投薬治療支援プログラムに基づ
いて実行する投薬治療支援方法を示す図である。図１７の投薬治療支援方法は、図６の投薬治療支援方法と比べてステップＳ１７０，Ｓ１８０を有した点が異なり、その他の処理は同じである。
【００９２】
投薬治療支援システム１Ａは、ステップＳ４０，Ｓ９０，Ｓ１３０，Ｓ１６０の後、医師端末３から受信した追加条件を満たしているか否かを判定する（ステップＳ１７０）。ここで追加条件は、例えば、「ユーザからの回答が所定回数続けて無かった」「ユーザが服薬を中断した」「症状の出ている項目が所定数を超えた」などである。
【００９３】
追加条件を満たしていると判定した場合（ステップＳ１７０，Ｙｅｓ）、投薬治療支援システム１Ａは、追加情報を記憶部１２から読み出して配信情報に追加する（ステップＳ１８０）。なお、追加条件を満たしていない判定した場合（ステップＳ１７０，Ｎｏ）、投薬治療支援システム１Ａは、ステップＳ１８０をスキップしてステップＳ５０へ移行する。ここで、追加情報とは、次回診察日よりも早く診察を受けるように促すメッセージや、薬の影響についての詳細な設問などである。
【００９４】
このように本実施形態２の投薬治療支援システム１Ａによれば、このように医師が任意の条件を設定して情報を配信できるので、ユーザが服薬を中断したなど気になる状態になったときに、来院を促すメッセージといった適切なサポート情報を提供することができる。また、症状が多く出ている場合に、症状の詳細を問う設問を送信することができる。
【００９５】
なお、本実施形態２では、ステップＳ１８０で追加情報を設定する処理としたが、これに限らず、追加条件を満たしていると判定した場合に、ステップＳ１０，Ｓ６０，Ｓ１００の判定条件を変更することや、ステップＳ２０，Ｓ７０，Ｓ１１０，Ｓ１４０の配信間隔を変更する処理を行っても良い。
《その他》
以上の実施形態は、さらに以下の付記と呼ぶ態様を含む。以下の各付記に含まれる構成要素は、他の付記に含まれる構成と組み合わせることができる。
（付記１）
投薬治療を受けるユーザについて、投薬治療開始後の期間に応じた問い合わせまたは助言を含む情報を配信情報として設定する第一配信情報設定部と、
前記第一配信情報設定部によって設定された配信情報をユーザの端末に配信する第一配信制御部と、
前記問い合わせに対する回答を受信する回答受信部と、
前記回答から前記投薬による前記ユーザへの影響を特定する特定部と、
前記特定された影響に応じて、次の配信情報を設定する第二配信情報設定部と、
前記第二配信情報設定部によって設定された配信情報を前記ユーザの端末に配信する第二配信制御部と、
を備える投薬治療支援システム。
（付記２）
前記第一配信情報設定部は、投薬治療開始からの期間が所定長さに達するまでを急性治療フェーズと判定し、急性治療フェーズと判定した場合に、当該急性治療フェーズと対応する配信情報を設定する付記１に記載の投薬治療支援システム。
（付記３）
前記特定部は、前記急性治療フェーズの後、前記回答から症状が出た旨の語が抽出される回数が所定未満となるまでを継続治療フェーズと特定し、
前記特定部により前記継続治療フェーズと特定された場合に、前記第二配信情報設定部が、前記継続治療フェーズと対応する配信情報を次の配信情報として設定する付記１又は２に記載の投薬治療支援システム。
（付記４）
前記第一配信情報設定部は、前記急性治療フェーズの後の期間が所定長さに達するまでを継続治療フェーズと判定し、前記継続治療フェーズと判定した場合に、当該継続治療フェーズと対応する配信情報を次の配信情報として設定する付記１から３の何れか１項に記載の投薬治療支援システム。
（付記５）
前記特定部は、前記継続治療フェーズの後、前記回答から減薬を示す語が所定回数以上抽出されるまでを維持治療フェーズと特定し、
前記特定部により前記維持治療フェーズと特定された場合に、前記第二配信情報設定部が、前記維持治療フェーズと対応する配信情報を次の配信情報として設定する付記１から４の何れか１項に記載の投薬治療支援システム。
（付記６）
前記第一配信情報設定部は、前記継続治療フェーズの後の期間が所定長さに達するまでを維持治療フェーズと判定し、維持治療フェーズと判定した場合に、当該維持治療フェーズと対応する配信情報を次の配信情報として設定する付記１から５の何れか１項に記載の投薬治療支援システム。
（付記７）
前記特定部は、前記維持治療フェーズの後、前記回答から投薬終了を示す語が所定回数以上抽出されるまでを投薬終了フェーズと特定し、
前記特定部により前記投薬終了フェーズと特定された場合に、前記第二配信情報設定部が、前記投薬終了フェーズと対応する配信情報を次の配信情報として設定する付記１から６の何れか１項に記載の投薬治療支援システム。
（付記８）
前記第一配信情報設定部は、前記維持治療フェーズの後の期間が所定長さに達するまでを投薬終了フェーズと判定し、投薬終了フェーズと判定した場合に、当該投薬終了フェーズと対応する配信情報を次の配信情報として設定する付記１から７の何れか１項に記載の投薬治療支援システム。
（付記９）
投薬治療を受けるユーザについて、投薬治療開始後の期間に応じた問い合わせまたは助言を含む情報を配信情報として設定するステップと、
前記配信情報をユーザの端末に配信するステップと、
前記問い合わせに対する回答を受信するステップと、
前記回答から前記投薬による前記ユーザへの影響を特定するステップと、
前記特定された影響に応じて、次の配信情報を設定するステップと、
前記影響に応じて設定された配信情報を前記ユーザの端末に配信するステップと、
をコンピュータが実行する投薬治療支援方法。
（付記１０）
投薬治療開始からの期間が所定長さに達するまでを急性治療フェーズと判定し、急性治療フェーズと判定した場合に、当該急性治療フェーズと対応する配信情報を設定する付記９に記載の投薬治療支援方法。
（付記１１）
前記急性治療フェーズの後、前記回答から症状が出た旨の語が抽出される回数が所定未満となるまでを継続治療フェーズと特定し、
前記継続治療フェーズと特定された場合に、前記継続治療フェーズと対応する配信情報を次の配信情報として設定する付記９又は１０に記載の投薬治療支援方法。
（付記１２）
前記急性治療フェーズの後の期間が所定長さに達するまでを継続治療フェーズと判定し、前記継続治療フェーズと判定した場合に、当該継続治療フェーズと対応する配信情報を次の配信情報として設定する付記９から１１の何れか１項に記載の投薬治療支援方法。
（付記１３）
前記継続治療フェーズの後、前記回答から減薬を示す語が所定回数以上抽出されるまで
を維持治療フェーズと特定し、
前記維持治療フェーズと特定された場合に、前記維持治療フェーズと対応する配信情報を次の配信情報として設定する付記９から１２の何れか１項に記載の投薬治療支援方法。
（付記１４）
前記継続治療フェーズの後の期間が所定長さに達するまでを維持治療フェーズと判定し、維持治療フェーズと判定した場合に、当該維持治療フェーズと対応する配信情報を次の配信情報として設定する付記９から１３の何れか１項に記載の投薬治療支援方法。
（付記１５）
前記維持治療フェーズの後、前記回答から投薬終了を示す語が所定回数以上抽出されるまでを投薬終了フェーズと特定し、
前記投薬終了フェーズと特定された場合に、前記投薬終了フェーズと対応する配信情報を次の配信情報として設定する付記９から１４の何れか１項に記載の投薬治療支援方法。
（付記１６）
前記維持治療フェーズの後の期間が所定長さに達するまでを投薬終了フェーズと判定し、投薬終了フェーズと判定した場合に、当該投薬終了フェーズと対応する配信情報を次の配信情報として設定する付記９から１５の何れか１項に記載の投薬治療支援方法。
（付記１７）
投薬治療を受けるユーザについて、投薬治療開始後の期間に応じた問い合わせまたは助言を含む情報を配信情報として設定するステップと、
前記配信情報をユーザの端末に配信するステップと、
前記問い合わせに対する回答を受信するステップと、
前記回答から前記投薬による前記ユーザへの影響を特定するステップと、
前記特定された影響に応じて、次の配信情報を設定するステップと、
前記影響に応じて設定された配信情報を前記ユーザの端末に配信するステップと、
をコンピュータが実行する投薬治療支援プログラム。
（付記１８）
投薬治療開始からの期間が所定長さに達するまでを急性治療フェーズと判定し、急性治療フェーズと判定した場合に、当該急性治療フェーズと対応する配信情報を設定する付記１７に記載の投薬治療支援プログラム。
（付記１９）
前記急性治療フェーズの後、前記回答から症状が出た旨の語が抽出される回数が所定未満となるまでを継続治療フェーズと特定し、
前記継続治療フェーズと特定された場合に、前記継続治療フェーズと対応する配信情報を次の配信情報として設定する付記１７又は１８に記載の投薬治療支援プログラム。
（付記２０）
前記急性治療フェーズの後の期間が所定長さに達するまでを継続治療フェーズと判定し、前記継続治療フェーズと判定した場合に、当該継続治療フェーズと対応する配信情報を次の配信情報として設定する付記１７から１９の何れか１項に記載の投薬治療支援プログラム。
（付記２１）
前記継続治療フェーズの後、前記回答から減薬を示す語が所定回数以上抽出されるまでを維持治療フェーズと特定し、
前記維持治療フェーズと特定された場合に、前記維持治療フェーズと対応する配信情報を次の配信情報として設定する付記１７から２０の何れか１項に記載の投薬治療支援プログラム。
（付記２２）
前記継続治療フェーズの後の期間が所定長さに達するまでを維持治療フェーズと判定し、維持治療フェーズと判定した場合に、当該維持治療フェーズと対応する配信情報を次の配信情報として設定する付記１７から２１の何れか１項に記載の投薬治療支援プログラム。
（付記２３）
前記維持治療フェーズの後、前記回答から投薬終了を示す語が所定回数以上抽出されるまでを投薬終了フェーズと特定し、
前記投薬終了フェーズと特定された場合に、前記投薬終了フェーズと対応する配信情報を次の配信情報として設定する付記１７から２２の何れか１項に記載の投薬治療支援プログラム。
（付記２４）
前記維持治療フェーズの後の期間が所定長さに達するまでを投薬終了フェーズと判定し、投薬終了フェーズと判定した場合に、当該投薬終了フェーズと対応する配信情報を次の配信情報として設定する付記１７から２３の何れか１項に記載の投薬治療支援プログラム。
【符号の説明】
【００９６】
１，１Ａ    投薬治療支援システム
２    ユーザ端末
３    医師端末
４    ＭＲ端末
１１  演算処理部
１２  記憶部
１３  入出力ポート
２１  第一配信情報設定部
２２  第一配信制御部
２３  回答受信部
２４  特定部
２５  第二配信情報設定部
２６  追加条件受付部
２７  追加情報受付部
２８  第二配信制御部
【図１】
2014127190.tif 000003
【図２】
2014127190.tif 000004
【図３】
2014127190.tif 000005
【図４】
2014127190.tif 000006
【図５】
2014127190.tif 000007
【図６】
2014127190.tif 000008
【図７】
2014127190.tif 000009
【図８】
2014127190.tif 000010
【図９】
2014127190.tif 000011
【図１０】
2014127190.tif 000012
【図１１】
2014127190.tif 000013
【図１２】
2014127190.tif 000014
【図１３】
2014127190.tif 000015
【図１４】
2014127190.tif 000016
【図１５】
2014127190.tif 000017
【図１６】
2014127190.tif 000018
【図１７】
2014127190.tif 000019